(57)【特許請求の範囲】
【請求項１】
第１の接触点を有するスリーブである第１の部分と、
前記第１の部分と近づく方向又は離れる方向に移動可能であり、かつ第２の接触点を有する、物品を収容する第２の部分であって、前記スリーブとスライド式に係合可能な、側縁の長さが幅の長さよりも長い形状のブリスターカード又はトレイである第２の部分と、
を備え、前記第１の部分が前記第２の部分を覆うことが可能なパッケージであって、
第１の芳香提供物質が前記ブリスターカード又は前記トレイの側縁に沿う前記接触点の少なくとも１つに適用され、前記ブリスターカード又はトレイが前記スリーブ内をスライドする場合、前記ブリスターカード又はトレイが前記スリーブの内面と接触するようにサイズ合わせされていて、
第２の芳香提供物質が前記パッケージの少なくとも１つの外面に適用される、パッケージ。
【請求項２】
前記パッケージは、前記接触点の少なくとも１つに適用される第３の芳香提供物質を含む、請求項１に記載のパッケージ。
【請求項３】
前記第１の芳香提供物質は、前記第３の芳香提供物質と同じである、請求項２に記載のパッケージ。
【請求項４】
前記第１の芳香提供物質は、前記第３の芳香提供物質と同じではない、請求項２に記載のパッケージ。
【請求項５】
前記第１の部分は、一端で閉じている、請求項１に記載のパッケージ。
【請求項６】
前記第１の芳香提供物質は、少なくとも１つの破裂可能な芳香含有カプセルを含む、請求項１に記載のパッケージ。
【請求項７】
前記第１の芳香提供物質は、前記第２の部分に対する前記第１の部分の移動の際に放出可能である、請求項１に記載のパッケージ。
【請求項８】
前記放出は１回より多く起こる、請求項７に記載のパッケージ。
【請求項９】
ｉ．第１の接触点を有するスリーブである第１の部分と、
ｉｉ．前記第１の部分と近づく方向又は離れる方向に移動可能であり、かつ第２の接触点を有する、物品を収容する第２の部分であって、前記スリーブとスライド式に係合可能な、側縁の長さが幅の長さよりも長い形状のブリスターカード又はトレイである第２の部分と、
を備え、前記第１の部分が前記第２の部分を覆うことが可能なパッケージであって、
ｉｉｉ．第１の芳香提供物質が、前記ブリスターカード又は前記トレイの側縁に沿う前記接触点の少なくとも１つに適用され、前記ブリスターカード又はトレイが前記スリーブ内をスライドする場合、前記ブリスターカード又はトレイが前記スリーブの内面と接触するようにサイズ合わせされているパッケージを提供する工程と、
前記パッケージ内に食品を配置する工程と、
を含む、パッケージの使用者の食品に関する知覚を高める方法。
【請求項１０】
ｉ．第１の接触点を有するスリーブである第１の部分と、
ｉｉ．前記第１の部分と近づく方向又は離れる方向にスライド可能であり、かつ第２の接触点を有する、物品を収容する第２の部分であって、前記スリーブと係合可能な、側縁の長さが幅の長さよりも長い形状のブリスターカード又はトレイである第２の部分と、
を備え、前記第１の部分が前記第２の部分を覆うことが可能なパッケージであって、
ｉｉｉ．第１の芳香提供物質が、前記ブリスターカード又は前記トレイの側縁に沿う前記接触点の少なくとも１つに適用され、前記ブリスターカード又はトレイが前記スリーブ内をスライドする場合、前記ブリスターカード又はトレイが前記スリーブの内面と接触するようにサイズ合わせされているパッケージを提供する工程と、
前記芳香提供物質を放出するように前記第１の部分を移動させる工程と、
を含む、パッケージから芳香を放出する方法。
【発明の詳細な説明】
【技術分野】
【０００１】
（関連出願の相互参照）
本出願は、２００８年１２月１１日に出願された米国仮特許出願第６１／１２１，６０６号に対する優先権を主張し、その内容は全体が本明細書に参照により組み込まれる。
【０００２】
（技術分野）
本発明は概して、可動式に係合可能な部分上の１つ以上の接触点に適用される１つ以上の芳香提供材料を有し、それによって、パッケージの互いに対する、またはパッケージの他の部分に対するパッケージ部分の移動に起因して芳香が放出される、可動式に係合可能な部分を有するパッケージに関する。より具体的には、可動式に係合可能な部分を有するパッケージは、菓子などの食品を含むことができ、そのパッケージにおいて放出される芳香が食品の期待される風味または機能的に有益な経験を表し、特定し、高め、補足し、または対照することができる。
【背景技術】
【０００３】
芳香は一般に、嗅覚によって生じる知覚を含めて考えられる。多くの食品の楽しみは、大抵、ヒトの嗅覚によって知覚されるそれらの芳香に起因する。食品の風味は、嗅覚によって知覚される数百の芳香とともに５つの味覚（甘味、塩味、苦味、酸味および旨味）からなる。嗅覚は特に、ヒトにとって重要な感覚である。なぜなら嗅覚は物理的および情動的効果の両方を有することができるからである。さらに、ヒトは嗅覚記憶を有するので、特定の経験が特定の嗅覚に関連し、匂いを知覚することにより記憶が導き出される。例えば、好物の食品からの芳香を嗅ぐことにより、心地よい記憶が導き出され、その食品を消費することの欲求が導き出される。
【０００４】
可動式に係合可能な部分を有するパッケージは、開口端または閉端スリーブのいずれかを有するブリスターカードなどの構造を含むことができる。ブリスターカード構造の商業的な例としては、商標名ＤＥＮＴＹＮＥ（商標）、ＴＲＩＤＥＮＴ（商標）という名などのペレットチューイングガムが挙げられる。それらのパッケージは利便性および携帯性を与えるが、製品の風味経験を知覚し始め得るために製品の取り出しおよび多くの場合摂取を必要とする。
【０００５】
芳香提供物質は、紙および布などの材料に含まれることが知られている。例としては、破裂可能なマイクロカプセルの芳香成分が紙または布に埋め込まれている、「こすって、臭いを嗅ぐ（ｓｃｒａｔｃｈ  ａｎｄ  ｓｎｉｆｆ）」材料が挙げられ、その紙または布がこすられると、マイクロカプセルが芳香物質を放出するために破裂する。
【発明の概要】
【発明が解決しようとする課題】
【０００６】
可動式に係合可能な部分上の１つ以上の接触点に配置される１つ以上の芳香提供物質を含む可動式に係合可能な部分を有するパッケージを強化して、パッケージの可動式に係合可能な部分が互いに対して移動されるか、またはパッケージの他の部分に対して移動されると、芳香が放出されることが望まれる。
【課題を解決するための手段】
【０００７】
一実施形態において、第１の接触点を有する第１の部分と、その第１の部分と可動式に係合可能であり、かつ第２の接触点を有する第２の部分とを備えるパッケージが提供される。さらに、第１の芳香提供物質が接触点の少なくとも１つに適用され、第２の芳香提供物質がパッケージの少なくとも１つの外面に適用される。
【０００８】
別の実施形態において、少なくとも１つの第１の壁を有し、かつ第１の接触点を有する第１の部分と、その第１の部分と可動式に係合可能であり、かつ少なくとも１つの第２の壁を有し、かつ第２の接触点を有する第２の部分と備えるパッケージが提供される。さらに、第１の芳香提供物質が接触点の少なくとも１つに適用され、第２の芳香提供物質がパッケージの少なくとも１つの外面に適用される。
【０００９】
別の実施形態において、パッケージを作製する方法が提供される。その方法は、１つ以上の接触点を有する第１の部分を提供する工程と、第１の部分と可動式に係合可能な第２の部分であって、その第２の部分は１つ以上の第２の接触点を有する、第２の部分を提供する工程と、第１の芳香提供物質を接触点の少なくとも１つの適用する工程と、第２の芳香提供物質をパッケージの少なくとも１つの外面に適用する工程とを含む。
【００１０】
別の実施形態において、食品の知覚を増強する方法が提供される。この方法は、第１の接触点を有する第１の部分と、その第１の部分と可動式に係合可能である第２の部分であって、その第２の部分は１つ以上の第２の接触点を有する、第２の部分とを備えるパッケージを提供する工程であって、ここで、第１の芳香提供物質が接触点の少なくとも１つに適用される工程と、食品をそのパッケージに配置する工程とを含む。
【００１１】
別の実施形態において、少なくとも１つの芳香を放出する方法が提供される。その方法は、１つ以上の第１の接触点を有する第１の部分と、その第１の部分とスライド式に係合可能な第２の部分であって、その第２の部分は１つ以上の第２の接触点を有する、第２の部分とを備えるパッケージを提供する工程であって、第１の芳香提供物質が接触点の少なくとも１つに適用される工程と、第１の芳香提供物質を放出するように第１の部分を移動させる工程とを含む。
【００１２】
別の実施形態において、１つ以上の第１の接触点を有する第１の部分と、その第１の部分と枢動式に係合可能な第２の部分であって、その第２の部分は１つ以上の第２の接触点を有する、第２の部分とを備えるパッケージであって、第１の部分は第２の部分を少なくとも部分的に囲み、第１の芳香提供物質が接触点の少なくとも１つに適用される、パッケージが提供される。
【００１３】
別の実施形態において、１つ以上の第１の接触点を有する第１の部分と、その第１の部分とスライド式に係合可能な第２の部分であって、その第２の部分は１つ以上の第２の接触点を有する、第２の部分とを備えるパッケージであって、その第１の部分は第２の部分を少なくとも部分的に囲み、第１の芳香提供物質が接触点の少なくとも１つに適用される、パッケージが提供される。
【００１４】
別の実施形態において、１つ以上の第１の接触点を有する第１の部分と、その第１の部分とスライド式に係合可能な第２の部分であって、その第２の部分は１つ以上の第２の接触点を有する、第２の部分とを備えるパッケージであって、第１の部分は第２の部分を少なくとも部分的に囲むスリーブであり、第２の部分はブリスターカードであり、第１の芳香提供物質は接触点の少なくとも１つに適用される、パッケージが提供される。
【００１５】
別の実施形態において、引き裂くと放出可能である芳香提供物質を含むパッケージ材料を備えるパッケージが提供される。
【００１６】
別の実施形態において、第１の接触点を有する第１の部分と、その第１の部分と可動式に係合可能な第２の部分であって、その第２の部分は第２の接触点を有する第２の部分とを備えるパッケージを提供する工程と、第１の芳香提供物質を接触点の少なくとも１つに適用する工程と、第２の芳香提供物質をパッケージの少なくとも１つの外面に放出可能に適用する工程を含む、芳香を移動させる方法が提供される。
【図面の簡単な説明】
【００１７】
【図１】図１は、可動式に係合可能なスリーブならびにブリスターカード部ならびにスリーブおよびブリスターカード部上の１つ以上の接触点に配置される１つ以上の芳香提供物質を有する開口端のブリスターパッケージを示す。
【図２】図２は、可動式に係合可能なスリーブおよびトレイ部およびスリーブ部上の１つ以上の接触点に配置される１つ以上の芳香提供物質を有する閉端トレイパッケージを示す。
【図３】図３は、可動式に係合可能な蓋およびトレイ部およびトレイ部上の１つ以上の接触点に配置される１つ以上の芳香提供物質を有するスライドする蓋パッケージを示す。
【図４】図４は、可動式に係合可能なフラップならびにスロット部ならびにフラップおよびスロット部上の１つ以上の接触点に配置される１つ以上の芳香提供物質を有するエンベロープパッケージを示す。
【図５】図５は、代替の可動式に係合可能なフラップならびにスロット部ならびにフラップおよびスロット部上の１つ以上の接触点に配置される１つ以上の芳香提供物質を有するエンベロープパッケージを示す。
【図６】図６は、可動式に係合可能なスリーブならびにブリスターカード部ならびにスリーブおよびブリスターカード部の方向性に基づいて二者択一的に放出され得るブリスターカード部上の１つ以上の接触点に配置される２つ以上の芳香提供物質を有する開口端のブリスターパッケージを示す。
【図７】図７は、可動式に係合可能な蓋ならびにトレイ部ならびに蓋およびトレイ部上の１つ以上の接触点に配置される１つ以上の芳香提供物質を有する枢動式のパッケージを示す。
【図８】図８は、可動式に係合可能なスリーブならびにブリスターカード部ならびにブリスターカード部上の１つ以上の接触点に配置される１つ以上の芳香提供物質ならびに蓋をしているフィルム上の１つ以上の芳香提供物質を有する開口端のブリスターパッケージを示す。
【発明を実施するための形態】
【００１８】
一部の実施形態において、菓子製品のためのパッケージは、パッケージの互いに対して、またはパッケージの他の部分に対して可動式に係合可能な複数の部分を有するので、その部分がパッケージの互いに対して、またはパッケージの他の部分に対して移動すると、その部分上の１つ以上の接触点に配置される１つ以上の芳香提供物質が放出される。放出は、マイクロカプセルが破裂すると、１つ以上の芳香提供物質が放出される１つ以上の芳香提供物質を収容するマイクロカプセルに付与される圧力の結果として生じ得る。パッケージ部分上の接触点に配置される芳香提供物質に加えて、一部の実施形態において、芳香提供物質はパッケージの少なくとも１つの外面に配置される。
【００１９】
一部の実施形態において、接触点および／または外面のいずれかに配置される芳香提供物質の放出は、パッケージの使用者に、そのパッケージ内に含まれる食品から予想できる味、風味、または機能的に有益な経験がどのようなものかの初期の指標を与える。この初期の指標は、使用者が製品を経験し始めるために口の中に製品を入れるまで待つ必要がないので、食べることおよび／または機能的に有益な経験を増強する。芳香提供物質は、食品の予想される風味または機能的に有益な経験を表し、特定し、高め、補足し、または対照することができる。１つ以上の芳香提供物質がパッケージの外面に配置される実施形態において、パッケージの使用者は１つ以上の芳香提供物質に触れることができるので、使用者がパッケージと相互作用した後、芳香提供物質は使用者に残ったままになる。例えば、使用者は、パッケージから菓子の個々のピースを取り出すように、芳香提供物質がパッケージの少なくとも１つの外面および可動式に係合可能な部分上の少なくとも１つの接触点に適用される菓子製品のパッケージを扱うことができる。
【００２０】
一部の実施形態において、芳香提供物質は、少なくとも１つの破裂可能なカプセルの形態で提供される。パッケージ取り扱いの間、使用者は、少なくとも１つの破裂可能なカプセルの形態で少なくとも１つの外面に適用された芳香提供物質に圧力を与えて、少なくとも１つの破裂可能なカプセルを破裂させることができる。破裂の際に、芳香提供物質が放出され得るので、芳香提供物質はパッケージの外面から使用者まで移動する。例えば、使用者は、パッケージを開封し、パッケージ内に収容された製品を手に取ることができるように、パッケージを持ち上げ、パッケージの可動式に係合可能な部分を移動させることによって、使用者はパッケージを扱うことができる。パッケージを扱うプロセスの間、使用者は、少なくとも１つの破裂可能なカプセルを破裂させるのに十分な圧力で少なくとも１つの外面に触れることができるので、芳香提供物質が放出し、その時に芳香提供物質が使用者に触れ、使用者まで移動する。芳香提供物質が使用者まで移動すると、使用者はパッケージがなくても芳香提供物質を知覚できる。
【００２１】
一部の実施形態において、菓子の個々のピースを取り出すようにパッケージを取り扱うことにより、少なくとも１つの接触点に適用された少なくとも１つの破裂可能なカプセルを破裂でき、それによって、芳香提供物質が放出するので、使用者は芳香提供物質を知覚する。
【００２２】
一部の実施形態において、使用者がパッケージを開封し、芳香提供物質を放出させると、その使用者は、菓子製品から予想できる味、風味、または機能的に有益な経験がどのようなものかの初期の使用を知ることができ、その使用者は、パッケージを使用し終えるまで菓子製品についての指標を受け続けることができる。なぜなら、少なくとも１つの外面に位置する芳香提供物質は、パッケージと触れる使用者の手、衣服、ハンドバック、バックパック、または個人用物品まで移動するからである。
【００２３】
例えば、スペアミント風味特性を有する菓子製品が、ブリスターカードおよびスリーブ部を有するパッケージ内にパッケージ化されてもよく、芳香提供物質はブリスターカード上の１つ以上の接触点に配置される。使用の際に、使用者がスリーブに対してブリスターカードをスライドさせると、スペアミント芳香が放出される。その後、使用者は、製品を食べ始める前に少なくとも数秒でスペアミント食経験を経験し始める。スペアミント芳香提供物質がまた、ブリスターカードまたはスリーブ部の少なくとも１つの外面に配置される実施形態において、使用者がスペアミント芳香提供物質を含む外面に触れると、そのスペアミント芳香提供物質は使用者まで移動する。このように、パッケージの使用者はまた、スペアミント芳香提供物質が、パッケージに触れる使用者の手、衣服、ハンドバック、バックパック、または個人用の物品に保持したままになっているので、パッケージ使用後にもスペアミント食体験を経験する。
【００２４】
一部の実施形態において、芳香提供物質の放出は、パッケージの使用者に、そのパッケージ内に含まれる食品の味または風味を補足する味または風味の経験を与える。この補足的な芳香は、食品の味または風味を補うことによって食体験を高めることができる。
【００２５】
本明細書中で使用される場合、「補足的な」芳香提供物質とは、同じ風味の群または類似の風味の群にある芳香提供物質である。例えば、補足的な芳香提供物質は、ミント風味の群であっても、または果実風味の群であってもよい。補足的な芳香提供物質はまた、同じまたは類似の知覚の群、例えば冷感の群、温感の群、ピリピリする（ｔｉｎｇｌｉｎｇ）群である成分を含んでもよく、あるいは同じまたは類似の味の群、例えば甘味の群、酸味の群、苦味／渋味の群、塩辛い群、旨味の群、またはこく味の群である成分を含んでもよい。補足的な芳香提供物質はまた、同じまたは類似の機能的な群、例えば息を清涼にする機能的に有益な群または他のオーラルケアの機能的に有益な群である成分を含んでもよい。用語「群」または「種類」は、補足的な成分を参照する場合、本明細書において交換可能に使用される。
【００２６】
例えば、混合したミント風味の特性を有する菓子製品が、ブリスターカードおよびスリーブ部を有するパッケージ内にパッケージ化されてもよく、芳香提供物質が、そのブリスターカード上の１つ以上の接触点に配置される。使用の際に、使用者がスリーブに対してブリスターカードをスライドさせると、メントール芳香が放出される。初期のメントール芳香は混合したミント風味の特性を補足し、食品を食べ始める前の少なくとも数秒で使用者にミントの経験を与える。芳香提供物質がパッケージの少なくとも１つの外面に配置される実施形態において、メントールまたは混合したミント芳香のいずれかが適用されてもよく、取り扱うか、または他の使用の間、パッケージと触れる使用者の手、衣服、ハンドバック、バックパック、または他の個人用物品まで移動するので、パッケージを取り扱った後、または他の使用の後にも使用者に保持したままになる。メントールおよび混合したミントは同じ風味の群であるため、芳香提供物質は補足的な経験を与える。
【００２７】
別の例において、ストロベリー風味の特性を有する菓子製品が、ブリスターカードおよびスリーブ部を有するパッケージ内にパッケージ化されてもよく、芳香提供物質がブリスターカード上の１つ以上の接触点に配置される。使用の際に、使用者がスリーブに対してブリスターカードをスライドさせると、ライム芳香が放出される。初期のライム芳香は補足的なストロベリー風味である。なぜなら、両方の風味は果実風味の群由来であり、
食品を食べ始める前の少なくとも数秒で使用者に快適な相違およびさらに補足的な経験を与える。芳香提供物質がパッケージの少なくとも１つの外面に配置される実施形態において、ライムまたはストロベリーまたは補足的なストロベリー−ライム芳香が適用され、取り扱うか、または他の使用の間、パッケージに触れる使用者の手、衣服、ハンドバッグ、バックパック、または他の個人用物品まで移動するので、パッケージを取り扱った後、または他の使用の後にも保持したままになる。
【００２８】
一部の実施形態において、芳香提供物質の放出は、パッケージの使用者に、そのパッケージ内に含まれる食品の味または風味と対照的な味または風味の経験を与える。この対照的な芳香は、食品の味または風味を増大させることによって食体験を高めることができる。
【００２９】
本明細書中で使用される場合、「対照的な」芳香提供物質は、明確に異なる群であるか、または明確に異なる群である成分を含むか、または明確に異なる成分を提供する芳香提供物質である。例えば、対照的な芳香提供物質は、ミント風味の群である成分を有するものと果実風味の群である成分を有するものである。または、スパイス風味の群である成分と有するものと塩辛い風味の群である成分を有するものである。または、マイルドなミント風味の群である成分と強烈なミント風味の群である成分を有するものなどである。
【００３０】
製品が使用される前および／または後のいずれかに、製品の味および／または風味を伝える、または示す、または表すパッケージを提供することによって、製品の味および／または風味を補足的または対照的にすることによって、使用者の製品の知覚が高められ得る。なぜなら、製品を経験する全体の期間が、製品の使用の前、間、および後の期間を含むように拡大されるからである。本明細書中で使用される場合、用語「伝える（ｃｏｍｍｕｎｉｃａｔｅ）」とは、端部が開口しており、パッケージ内に含まれる製品の特徴を示すか、または表す、任意のパッケージの特性を意味する。製品の特徴としては、限定されないが、味の特徴、風味の特徴、機能的に有益な特徴、信頼、制御、倦怠などの情動的特徴が挙げられ得る。
【００３１】
一部の実施形態において、芳香提供物質の放出は、パッケージ内に含まれる製品によって提供される機能的に有益な指標をパッケージの使用者に与える。例えば、オーラルケアの有益性を有する菓子製品が、ブリスターカードおよびスリーブ部を有するパッケージ内にパッケージ化されてもよく、芳香提供物質がブリスターカード上の１つ以上の接触点に配置される。使用の際に、使用者がスリーブに対してブリスターカードをスライドさせると、オーラルケアの機能的有益性に関連する特徴的な芳香が放出される。本明細書に使用される場合、「特徴的な芳香提供物質」は、製品の味または風味特性以外の製品の有益性を伝える、または示す、または表す芳香特性を与える芳香提供物質である。特徴的な芳香提供物質によって提供される特徴的な芳香は、製品を食べ始める前の少なくとも数秒で、製品がオーラルケアの機能的有益性の経験を提供し、オーラルケアの機能的有益性を受け入れられるという手がかりを使用者に提供する。特徴的な芳香提供物質は、使用者がパッケージを取り扱うと放出するように接触点に適用されてもよいか、または特徴的な芳香提供物質は、取り扱うか、または他の使用に間に、パッケージに触れる使用者の手、衣服、ハンドバック、バックパック、または他の個人用物品に移動し、パッケージを取り扱った後、または他の使用の後、またはその両方の後に、使用者に保持されたままになるようにパッケージの少なくとも１つの外面に適用されてもよい。
【００３２】
例えば、特徴的な芳香は、口内を清涼にするようなフローラル芳香であってもよい。使用者は、製品を消費する前にフローラルの口内を清涼にする手がかりを受け取り、果実、ミント、スパイスなどの製品の風味特性とは関係なく口内を清涼にする有益性を予想する。特徴的な芳香提供物質はパッケージの少なくとも１つの外面に配置され、特徴的な芳香は、使用者がパッケージを扱うか、または使用する場合、パッケージに触れる使用者の手、衣服、ハンドバッグ、バックパック、または他の個人用物品に移動するので、使用者は、パッケージを扱った後、または使用した後にも口内を清涼にする有益性を保持したままになる。このように、製品は、任意の数の風味特性を有し、さらに単一の特徴的なフローラル芳香を用いて口内を清涼にする効果を伝えることができる。
【００３３】
製品を使用する前および／または後、製品の有益性を伝えるか、または示すか、または表すパッケージを提供することによって、使用者の製品の知覚は、製品の経験の全体期間が、製品の使用の前、間、および後の期間を含むように拡大されるので高められ得る。
【００３４】
一部の実施形態において、パッケージはまた、種々の製品の特徴を伝える指標を含んでもよい。本明細書中で使用される場合、用語「指標」は、開口端部について「関連する情報」、「表す情報」および「示す情報」と説明的事柄の同義語であり、任意の単語、語句、標語、絵、印、コンテスト、マーケティングキャンペーン、テクスチャ、色、明度、または製品に関連する他の特徴もしくは特性を含んでもよい。一部の実施形態において、製品は、製品の外観を伝える特徴を含んでもよい。かかる特徴としては、限定されないが、色、製品の指標、形状などが挙げられる。
【００３５】
本明細書中に使用される場合、用語「放出する」とは、１つ以上の芳香提供物質の大気曝露を意味し、１つ以上の芳香提供物質は、普通の人またはより良い嗅覚能力の人によって知覚され得る。一部の実施形態において、大気曝露は、１つ以上の芳香提供物質を含むマイクロカプセルの破裂を引き起こす摩擦力を含む圧力に起因して起こり得る。一部の実施形態において、大気曝露は、１つ以上の芳香提供物質の大気への拡散に起因して起こり得る。他の実施形態において、大気曝露は、芳香提供物質を包むカバー層の除去に起因して起こり得る。さらに他の実施形態において、大気曝露は、取り扱いプロセスに起因して起こり得る。大気曝露で生じる機構の組み合わせもまた、意図される。
【００３６】
１つ以上の芳香提供物質が１つ以上の破裂可能なマイクロカプセルに収容される実施形態において、そのマイクロカプセルは任意の適切な材料から形成されてもよく、任意の適切なサイズおよび／または形状であってもよい。一部の実施形態において、マイクロカプセルは、１００ｎｍ〜１ｍｍの粒径を有する。
【００３７】
一部の実施形態において、異なるサイズのマイクロカプセルが、可動式に係合可能なパッケージ部を繰り返し移動させた時の芳香提供物質の放出を提供するために使用される。例えば、大きなマイクロカプセル（２００〜５００ミクロン）と小さなマイクロカプセル（２０〜５０ミクロン）との混合は、大きなマイクロカプセルを破裂させて、可動式に係合可能なパッケージ部の初期の移動の間に芳香提供物質の放出を生じ得る。続いて後の移動の時に、繰り返し移動のさらなる圧力により、小さなマイクロカプセルの破裂が生じ得る。
【００３８】
一部の実施形態において、混合物中のマイクロカプセルの様々なサイズの割合が、可動式に係合可能なパッケージ部を繰り返し移動させた時の芳香提供物質の放出を提供するために使用されてもよい。例えば、混合物は、約５％〜約１０％の大きなマイクロカプセル（２００〜５００ミクロン）、約４０％〜約５０％の中間サイズのマイクロカプセル（７５〜１５０ミクロン）、および約４０％〜約５５％の小さなマイクロカプセル（２０〜５０ミクロン）を含んでもよく、ここで、重量％は、マイクロカプセルの混合物の重量によるｗ／ｗである。かかる混合物は破裂して、可動式に係合可能なパッケージ部の最初の１〜１０回の移動の間に大きなマイクロカプセルの放出が生じ、次の１０〜２０回の移動の間に中間サイズのマイクロカプセルの破裂および放出が生じ、最後の２０〜５０回の移動の間に小さなマイクロカプセルの破裂および移動が生じる。
【００３９】
マイクロカプセルは、全ての目的のためにその全体が本明細書に組み込まれる米国特許第３，５１６，８４６号および同第４，０８７，３７６号に記載される様々な材料から形成されてもよい。適切な材料としては、限定されないが、重合尿素およびホルムアルデヒドまたはメラミンおよびホルムアルデヒドなどが挙げられ得る。一部の実施形態において、マイクロカプセルを形成するための材料は、芳香提供物質を損失させずに、またはマイクロカプセルシェルを劣化させずに、１つ以上の芳香提供物質を含むそれらの能力について選択されてもよい。一部の実施形態において、マイクロカプセルを形成するための材料はまた、それらのテクスチャ特性について選択されてもよく、マイクロカプセルは、破裂せずに適用プロセスに耐える強度を有し、さらに、パッケージ部の移動による圧力および／またはパッケージを取り扱うことによる圧力がマイクロカプセルに圧力を与える場合、破裂する脆弱性も有する。
【００４０】
一部の実施形態において、１つ以上の芳香提供物質は、１つ以上のカプセル化した芳香化学物質を含んでもよい。本明細書中で使用される場合、用語「芳香提供物質」とは、任意の適切な芳香化学物質または芳香化学物質の混合物を意味し、パッケージに適用され得る香味料、香味料材料、香料またはそれらの組み合わせを含む。適切な芳香提供物質としては、限定されないが、インク、接着剤、ニス、フィルム、ワックスなどで提供される液体芳香化学物質が挙げられ得る。適切な芳香提供物質としてはまた、限定されないが、インク、接着剤、ニス、フィルム、ワックスなどで提供される固体芳香化学物質が挙げられ得る。
【００４１】
一部の実施形態において、可動式に係合可能な部分を有するパッケージは、限定されないが、紙、厚紙、固形の硫酸漂白剤で処理した厚紙、ポリ塩化ビニル、ボール紙、プラスチック、ワックス、ゴム、ポリプロピレンフィルム、ポリエチレンフィルム、金属フィルム、箔、複合材料、積層板などのパッケージ材料を含んでもよい。
【００４２】
さらに、パッケージ材料は処理されてもよい。処理としては、限定されないが、白土エマルションコーティングなどのコーティング、またはプリンティングまたは他の装飾的な処理が挙げられ得る。上記の芳香提供物質は、上記のパッケージ材料から製造されるパッケージの可動式に係合可能部分上の１つ以上の接触点に適用される。
【００４３】
例えば、芳香提供物質は、パッケージ材料に適用されるニスの中に含まれてもよい。一部の実施形態において、芳香提供物質を含むニスがパッケージ材料の表面全体に適用され、一方、他の実施形態において、芳香提供物質を含むニスが、パッケージ材料の表面全体より少ない面に適用される。一部の実施形態において、ニスは処理された面に適用される。これらの実施形態において、芳香提供物質の明度は、処理されていないパッケージ材料の明度より高くなり得る。
【００４４】
一部の実施形態において、パッケージは可動式に係合可能な部分を備える。本明細書中で使用される場合、用語「可動式に係合可能な」とは、２つ以上の部分が、パッケージの互いに対して、またはパッケージの他の部分に対して移動する任意のパッケージ構造を意味する。１つ以上の可動式に係合可能な部分はまた、パッケージの１つ以上の他の部分に対して移動可能であってもよい。パッケージ部の移動は、限定されないが、係合可能な部分をスライドするか、または係合可能な部分を入れ子状に重ねる直線移動、係合可能またはねじれて係合可能な部分を枢動する回転移動などの任意の種類、あるいはそれらの移動の種類の組み合わせであってもよい。一部の実施形態において、可動式に係合可能な部分は、係合可能な部分を引き剥がす、係合可能な部分を引き裂く、またはそれらの組み合わせなどの粘着力または接着力を含む。
【００４５】
一部の実施形態において、１つ以上の芳香提供物質は、可動式に係合可能な部分に位置する１つ以上の接触点に適用される。本明細書中で使用される場合、用語「接触点」とは、使用の間に互いに接触するか、または互いに他の接触を生じる各々の可動式に係合可能な部分上のそれらの領域を意味する。一部の実施形態において、１つ以上の接触点は、可動式に係合可能な部分が、互いに接触するか、または互いに他の接触を生じ得る領域全体を表し、一方、他の実施形態において、１つ以上の接触点は、可動式に係合可能な部分が互いに接触するか、または互いに接触を生じる領域の一部を表す。
【００４６】
一部の実施形態において、１つ以上の芳香提供物質は、パッケージの少なくとも１つの外面に適用される。本明細書中に使用される場合、用語「外面」とは、パッケージの使用者と接触し得るパッケージの表面を意味する。一部の実施形態において、外面は、使用者が閉じたパッケージを取り扱う場合、使用者と接触する外側面であり得る。他の実施形態において、外面は、パッケージの操作の間に使用者と接触し得る。例えば、ブリスターカードおよびスリーブパッケージは、スリーブおよびブリスターカードの外側面に外面を有し得るので、使用者は、ブリスターカードの空洞内に収容されている製品を取り出すためにブリスターカードに触れる。
【００４７】
一部の実施形態において、郵便封筒のようなパッケージは、スライド式に係合可能なフラップ部およびスロット部を備え得る。操作の際に、フラップがスロット内にスライドする場合、フラップの上面および底面はスロットの上端および下端に接触し得る。一部の実施形態において、１つ以上の芳香提供物質は、その１つ以上の芳香提供物質がフラップの上面のみの１つ以上の接触点に位置するので、スロットと接触するフラップの領域の一部のみに位置する１つ以上の接触点に適用される。他の実施形態において、１つ以上の芳香提供物質は、１つ以上の芳香提供物質がフラップの上面および底面の１つ以上の接触点に位置するので、フラップ部がスロット部と接触する領域全体を表す接触点に適用される。
【００４８】
一部の実施形態において、可動式に係合可能な部分についての２つ以上の接触点は互いに隣接し、一方、他の実施形態において、それらは隣接しない。例えば、ブリスターカードパッケージは、２つの側壁を有するスリーブ部および２つの側端を有するブリスターカードを備えてもよい。ブリスターカードおよびスリーブ部は、ブリスターカード部を囲むスライド部とスライド式に係合可能である。一部の実施形態において、ブリスターカードの２つの側端は、ブリスターカードがスリーブ内にスライドする場合、スリーブの側壁の内面と接触する。一部の実施形態において、１つ以上の芳香提供物質が、ブリスターカードの１つの側壁に沿って位置する１つ以上の隣接する接触点に適用されてもよい。他の実施形態において、１つ以上の芳香提供物質は、ブリスターカードの１つの側端に沿って位置する１つ以上の隣接しない接触点に適用されてもよい。他の実施形態において、１つ以上の芳香提供物質は、ブリスターカードの反対端部に位置する１つ以上の隣接しない接触点に適用されてもよい。
【００４９】
一部の実施形態において、可動式に係合可能なパッケージは少なくとも２つの部分を有する。本明細書中で使用される場合、用語「部分」とは、パッケージの任意の一部分を意味する。部分の適切な例としては、限定されないが、スリーブ、蓋、引き出し、フラップ、スロット、ブリスターカード、トレイなどが挙げられ得る。
【００５０】
ここで、参照が添付の図面と共になされ、図面は、パッケージデザインの種々の関連する特徴を例示するのに役立つ。本発明はここで、菓子のパッケージと併せて主に記載するが、本発明は、化粧品パッケージ、薬剤パッケージ、洗浄剤パッケージなどのパッケージ部の移動に起因する芳香放出が必要とされる／望まれる、他の用途にも適用可能であることは明確に理解されるべきである。これに関して、菓子パッケージデザインの以下の詳細は、例示および説明の目的のために示す。さらに、その説明は、本発明を本明細書に開示される形態に限定することを意図しない。従って、以下の教示ならびに関連分野の技術および知見と同等の変形および修飾は、このパッケージデザインの範囲内である。本明細書に記載される実施形態はさらに、本発明を実施するのに知られている方法を説明することを意図し、当業者は、本発明または他の実施形態を、パッケージデザインの特定の用途または使用に必要とされる様々な変形と共に利用することができる。
【００５１】
一部の実施形態において、１つ以上の芳香提供物質が可動式に係合可能な部分上の１つ以上の接触点に適用されている可動式に係合可能な部分を有するパッケージの使用者は、パッケージ部を互いに、またはパッケージの他の部分に対して移動させる場合、芳香を知覚する。移動させることによる圧力が１つ以上の芳香提供物質を収容しているマイクロカプセルを破裂させる場合、芳香は１つ以上の芳香提供物質の放出に起因する。芳香は、パッケージ内に含まれる製品の指標であってもよいか、または快適な嗅覚記憶が誘発される場合などに、製品に対する応答を引き起こすように設計された任意の芳香であってもよい。
【００５２】
一部の実施形態において、パッケージは、互いに対して移動できる少なくとも２つの部分を含む。図１に示す実施形態において、パッケージ９０は開口端のブリスターパッケージであり得る。この開口端のブリスターパッケージ９０は第１のスリーブ部１００および第２のブリスターカード部１１０を備え得る。
【００５３】
第１のスリーブ部１００は、第２のブリスターカード部１１０を囲み、２つの側壁：側壁１０１および側壁１０１の反対側の側壁（図示せず）；後壁１０５；および後壁１０５の反対側の前壁（図示せず）を提供するように刻み目をつけられ、折り畳まれるシートから形成され得る。側壁、前壁、および後壁は、内側を向いている内面１０６および外側を向いている外面１０７を有する。スリーブ部１００は、折り畳まれた場合、平らなシートの端部が交わる継ぎ目（図示せず）を備えてもよい。この継ぎ目はスリーブを形成するために接着されるか、または粘着され得る。その継ぎ目は、側壁、前壁または後壁に沿った状態である。一部の実施形態において、その継ぎ目は１つの側壁に沿った状態である。あるいは、スリーブは継ぎ目なしに形成されてもよい。
【００５４】
第２のブリスターカード部１１０は、２つの側端１１１、末端１１２および末端１１２の反対側の末端（図示せず）を含む、４つの端部、後面１１３および前面１１４を有する。２つの側端は各々長さを有し、２つの末端は各々幅を有する。一部の実施形態において、長さは矩形のブリスターカードを形成する幅より長いが、他の実施形態において、長さは正方形のブリスターカードを形成する幅と同じである。
【００５５】
ブリスターカードはまた、１つ以上の区画１５０を含み、各々、上部１５５および１つ以上の側壁１５６を有する。１つ以上の区画の上部１５５および側壁１５６は、内側を向いている内面１５７および外側を向いている外面１５８を有する。区画の外面１５８は、ブリスターカード１１０の前面１１４の少なくとも一部を形成する。１つ以上の区画１５０は、菓子などの製品を保持するのに適切な寸法（高さ、長さ、および幅）を有する。一部の実施形態において、１つ以上の区画の寸法は、製品の動きを最小にすることができるようにサイズ合わせされる。１つ以上の区画はブリスターカードの端部から適切な距離をあけて配置され、ブリスターカードは、４つの端部全てに沿ってリム１６０を有し、２つ以上の区画を有する実施形態において、区画の間にリムを有してもよい。
【００５６】
一部の実施形態において、区画は、外側を向いている区画の上面１５９上に印し（図示せず）を有してもよい。ブリスターカードはまた、１つ以上の区画の底部を形成するブリスターカードの後面に蓋をする材料（図示せず）を備えてもよい。蓋をする材料は、リム１６０の後面に接着されて、１つ以上の区画内の製品を保持することができる。
【００５７】
スリーブおよびブリスターカード部は、接触してもよく、または多くの部分で互いに接触してもよい。一部の実施形態において、ブリスターカード末端１１２および末端１１２の反対側のブリスターカード端部（図示せず）の幅、ならびにスリーブ後壁１０５および後壁１０５の反対側のスリーブ前壁（図示せず）の幅は、ブリスターカードの側端１１１がスリーブ側壁１０１および側壁１０１の反対側の側壁（図示せず）の内面１０６と接触するようにサイズ合わせされてもよい。これにより、スリーブ側壁の内側を向いている内面に１つ以上の第１の接触点が形成される。第１の芳香提供物質１２０は、スリーブ側壁１０１および／またはスリーブ側壁１０１の反対側のスリーブ側壁（図示せず）の内側を向いている内面１０６に位置する１つ以上の第１の接触点に適用され得る。第２の芳香提供物質１２５は、スリーブ後壁１０５の少なくとも１つの外面に適用され得る。
【００５８】
一部の実施形態において、１つ以上の区画１５０の高さは、１つ以上の区画の上面１５９の外面がスリーブの前壁（図示せず）の内面１０６と接触し、ブリスターカードの後面１１３がスリーブの後壁１０５の内面１０６と接触するようにサイズ合わせされてもよい。これにより、１つ以上の区画の上面１５９の外面、ブリスターカードの後面１１３、前壁（図示せず）の内面１０６、およびスリーブの後壁１０５の内面１０６のうちの少なくとも１つに１つ以上の第２の接触点が形成される。第３の芳香提供物質１３０は、ブリスターカード１１０の後面１１３に位置する１つ以上の第２の接触点に適用され得る。
【００５９】
一部の実施形態において、第１の芳香提供物質が１つ以上の第１の接触点に適用され得るか、または第３の芳香提供物質が１つ以上の第２の接触点に適用され得るか、あるいは第１の芳香提供物質が１つ以上の第１の接触点に適用され得、かつ、第３の芳香提供物資が１つ以上の第２の接触的に適用され得る。
【００６０】
次いで、スリーブから引き出されるか、またはスリーブ部内に押し込まれるブリスターカード部の動きによる圧力により、１つ以上の芳香提供物質を収容しているマイクロカプセルが破裂すると、および／または使用者が、少なくとも１つの外面に位置する１つ以上の芳香提供物質を収容しているマイクロカプセルに触れると、芳香は放出される。スリーブ部が開口端であるため、ブリスターカード部およびスリーブ部は、２方向においてスライド式に移動可能である。さらに、スリーブ部がブリスターカード部を少なくとも部分的に囲んでいるため、それらの部分はスライド式に入れ子状に重なる。
【００６１】
第１の芳香提供物質１２０は、第２の芳香提供物質１２５と同じであっても、異なっていてもよく、それらは、第３の芳香提供物質１３０と同じであっても、異なっていてもよい。第１、第２、および第３の芳香提供物質は補足的であっても、対照的であってもよい。
【００６２】
第１および第２の芳香提供物質は交わってもよく、あるいは製品が使用される前および／または後に製品の味および／または風味を補足または対照することによって味および／または風味などの製品の特徴を示すか、もしくは表してもよい。従って、製品の使用の前、間、および後の期間を含むように製品全体の経験が拡大されるため、製品の使用者の知覚が高められ得る。上記のように、製品の特徴としては、限定されないが、味の特徴、風味の特徴、機能的に有益な特徴、信頼、抑制、倦怠などの情動的特徴が挙げられ得る。
【００６３】
例えば、ストロベリーライム風味で菓子製品用にデザインされたパッケージは、ストロベリー芳香を放出できる芳香提供物質１２０の適用およびライム芳香を放出できる芳香提供物質１３０の適用を含んでもよく、ブリスターカード部がスリーブ部に対して動かされる場合、ストロベリーおよびライムの芳香の同時放出が生じる。一部の実施形態において、パッケージはまた、ストロベリー−ライム芳香を放出できる芳香提供物質１２５を含んでもよい。
【００６４】
図６に示す別のブリスターカードおよび開口端スリーブの実施形態において、２つ以上の芳香提供物質が、スリーブに対するブリスターカードの移動の方向に基づいて二者択一的に放出され得る。図１と同様に、図６におけるブリスターカードおよびスリーブパッケージ６００は、第１のスリーブ部６０１ならびに互いに隣接する２つの第２のブリスターカード部６１０および６２０を備える。一部の実施形態において、２つのブリスターカード部は接続されている。一部の実施形態において、それらの２つのブリスターカード部は、使用者がそれらを引き裂くことによってブリスターカード部を分離できるように継ぎ目にミシン目を入れることによって接続されてもよい。ブリスターカード部６１０は、図１のようにパッケージ６００が後壁６０５から見た場合、左側にあり得、一方、ブリスターカード部６２０は右側にあり得る。図１の詳細を見ることから理解され得るように、第１の芳香提供物質６３０は、ブリスターカード６１０の後面の外面６１１上の１つ以上の第１の接触点に位置し、第２の芳香提供物質６３５は、後壁６０５の外面上に位置し、第３の芳香提供物質６４０は、ブリスターカード部６２０の後面の外面６２１上の１つ以上の第２の接触点に位置する。図１のように、接触点は、ブリスターカード区画６５０および６６０の高さならびに側壁６０２および側壁６０２の反対側の側壁（図示せず）を含むスリーブ側壁の高さをサイズ合わせすることによって形成されるので、ブリスターカード部６１０および６２０の後面の外面６１１および６２１は、スリーブ後壁６０５の内面（図示せず）と接触する。
【００６５】
この実施形態において、ブリスターカード部およびスリーブ部はスライド式に係合可能であり、第１および第３の芳香提供物質が、パッケージ部の移動方向に応じて二者択一的に放出されるので、第１の芳香提供物質が第３の芳香提供物質と異なる場合、異なる芳香がパッケージ部の移動方向に応じて放出される。上記のように、パッケージ部の移動による圧力および／または使用者が少なくとも１つの外面に触れる場合による圧力により、１つ以上の芳香提供物質を収容するマイクロカプセルが破裂して、芳香提供物質を放出する。
【００６６】
例えば、芳香提供物質６３０はストロベリー芳香を提供してもよく、一方、芳香提供物質６４０はライム芳香を提供してもよい。その場合、芳香は、ブリスターカード部６１０および６２０が移動する方向に応じて二者択一的に放出される。一部の実施形態において、ストロベリー風味を有する菓子製品は、次いで、ブリスターカード部６１０の区画６５０に収容されてもよく、一方、ライム風味を有する菓子製品は、ブリスターカード部６２０の区画６６０に収容されてもよい。他の実施形態において、ストロベリーライム風味の菓子製品が、区画６５０および６６０に収容されてもよい。一部の実施形態において、芳香提供物質６３５がストロベリー−ライム芳香を提供してもよい。
【００６７】
図２に示すように、２つ以上の可動式に係合可能な部分２００を有するパッケージは、第１のトレイ部２０１および第２の閉端スリーブ部２１０を備え得る。閉端スリーブ部２１０は、トレイ部２０１を囲み、２つの側壁：側壁２１２および側壁２１２の反対側の側壁（図示せず）；前壁２１３；前壁２１３の反対側の後壁（図示せず）；およびスリーブ開口部の反対側の後壁（図示せず）を提供するように刻み目をつけられ、折り畳まれるシート（図示せず）から形成され得る。側壁２１２、側壁２１２の反対側の側壁（図示せず）を含む側壁、後壁（図示せず）、前壁２１３、および後壁（図示せず）は、内側を向いている内面（図示せず）を有する。前壁２１３は外側を向いている外面２１４を有し、側壁２１２は外側を向いている外面２１５を有する。スリーブ部は、平らなシートの端部（図示せず）が交わる継ぎ目（図示せず）を備えてもよい。この継ぎ目はスリーブを形成するために接着され得るか、または粘着され得る。その継ぎ目は、側壁、前壁または後壁の面に沿った状態である。一部の実施形態において、その継ぎ目は１つの側壁に沿った状態である。あるいは、スリーブは継ぎ目なしに形成されてもよい。後壁（図示せず）は、スリーブの閉端を形成するために折り畳まれて、接着されたフラップを備え得る。あるいは、後壁は、スリーブの閉端を形成するために折り畳まれて、押し込まれたフラップを備え得る。
【００６８】
トレイ部２０１は、側壁２０２および側壁２０２の反対側の側壁（図示せず）、前壁２０３、前壁２０３の反対側の後壁（図示せず）を含む４つの壁を有する。各壁は、側壁２０２上の外面２０４および前壁２０３上の外面２０５を含む外面を有する。２つの側壁は各々長さを有し、前壁および後壁は各々幅を有する。一部の実施形態において、長さは矩形のトレイ部を形成する幅より長く、他の実施形態において、長さは正方形のトレイ部を形成する幅と同じである。
【００６９】
トレイ２０１はまた、１つ以上の区画２３０を含み、各々の区画２３０は、底部（図示せず）および少なくとも１つの側壁（図示せず）を備える。１つ以上の区画２３０は、内側を向いている内面（図示せず）および外側を向いている外面（図示せず）を有する。１つ以上の区画２３０は、菓子などの製品を保持するのに適切な寸法（高さ、長さ、および幅）を有する。一部の実施形態において、区画は、その区画に含まれる製品と同じ形状を有するようにサイズ合わせされてもよい。例えば、一部の実施形態において、製品は半球形を有する菓子製品であり得、区画は、半球形の菓子製品を保持するようにサイズ合わさせされた半球形の空洞であり得る。一部の実施形態において、１つ以上の区画の寸法は、製品の移動を最小にするようにサイズ合わせされてもよい。トレイ部２０１はまた、蓋をする材料（図示せず）または１つ以上の区画２３０中に１つ以上の製品を保持するためにトレイの全てもしくは大部分を覆う他のカバーを備えてもよい。
【００７０】
トレイ２０１はまた、区画２３０の間に位置する仕切り板２４０を含んでもよい。これらの仕切り板は、トレイ２０１に構造的完全性を付加することができ、区画２３０に収容される製品が区画から出て行くことを防ぐのに役立つ。
【００７１】
図１および図６におけるスリーブおよびブリスターカードと同様に、スリーブ部２１０およびトレイ部２０１は、接触してもよく、または多くの部分で互いに接触してもよい。例えば、トレイ前壁２０３の幅およびスリーブ前壁２１３の幅は、外面２０４を含むトレイ側壁の外面が、側壁２１２を含むスリーブ側壁（図示せず）の内面と接触するようにサイズ合わせされてもよい。これにより、トレイ側壁２０２上の外面２０４を含むトレイ側壁の外面上に１つ以上の第１の接触点、およびスリーブ側壁２１２を含むスリーブ側壁の内面（図示せず）上に１つ以上の第２の接触点が形成される。第１の芳香提供物質２２０は、トレイ側壁２０２上の外面２０４上の１つ以上の第１の接触点に適用され得る。一部の実施形態において、第２の芳香提供物質２２５は、前壁２１３の外面に適用され得る。加えて、または代替的に、第３の芳香提供物質（図示せず）は、側壁２１２を含むスリーブ側壁の内面（図示せず）に位置する１つ以上の第２の接触点に適用され得る。さらに、第１の芳香提供物質が１つ以上の第１の接触点に適用され得、かつ第３の芳香提供物質が１つ以上の第２の接触点に適用され得る。上記の図１および図６のように、第１の芳香提供物質、第２の芳香提供物質、および第３の芳香提供物質は、同じであっても、異なっていても、補足的であっても、対照的であってもよい。
【００７２】
次いで、トレイ部２０１が、スリーブ部２１０から引き出されるか、または押し込まれる場合、および／または使用者が、前壁２１３の外面に触れる場合、１つ以上の芳香提供物質を収容するマイクロカプセルの破裂を引き起こす圧力に起因して芳香が放出される。トレイ部２０１およびスリーブ部２１０は、スリーブ部２１０が閉端であるので、一方向にスライド式に移動可能である。さらに、スリーブ部２１０がトレイ部２０１を少なくとも部分的に囲んでいるため、それらの部分はスライド式に入れ子状に重なる。
【００７３】
ブリスターカードおよびスリーブの構成と同様に、一部の実施形態において、１つ以上のトレイ区画２３０の高さならびにスリーブ側壁２１２およびスリーブ後壁（図示せず）を含むスリーブ側壁の高さは、１つ以上のトレイ区画の底部（図示せず）の外面（図示せず）が、スリーブ後壁（図示せず）の内面（図示せず）と接触するようにサイズ合わせされてもよい。これにより、１つ以上のトレイ区画の底部（図示せず）の外面（図示せず）上に１つ以上の第１の接触点、およびスリーブ後壁（図示せず）の内面（図示せず）上に１つ以上の第２の接触点が形成される。加えて、第１の芳香提供物質が、１つ以上の区画の底部（図示せず）の外面（図示せず）上の１つ以上の第１の接触点に適用され得るか、または第２の芳香提供物質が、スリーブ側壁（図示せず）の内面（図示せず）上の１つ以上の第２の接触点に適用され得るか、あるいは第１の芳香提供物質が、１つ以上の第１の接触点に適用され得、かつ第２の芳香提供物質が、１つ以上の第２の接触点に適用され得る。
【００７４】
同様に、トレイ仕切り版２４０およびスリーブ側壁２１２を含む側壁およびスリーブ後壁（図示せず）は、それらが、仕切り版２４０が前壁２１３の内面（図示せず）と接触する高さを有するようにサイズ合わせされてもよい。上記のように、第１の芳香提供物質は仕切り版２４０上の１つ以上の第１の接触点に適用され得、および／または第２の芳香提供物質は前壁２１３の外面に適用され得、および／または第３の芳香提供物質は前壁２１３の内面（図示せず）上の１つ以上の第２の接触点に適用され得る。
【００７５】
次いで、上記のように、トレイ部が、スリーブ部から引き出されるか、またはスリーブ部内に押し込まれる場合、あるいは使用者がパッケージの外面に触れる場合、１つ以上の芳香提供物質を収容するマイクロカプセルの破裂を引き起こす圧力に起因して芳香が放出される。上記のように、第１の芳香提供物質は、第２および／または第３の芳香提供物質と同じであっても、異なっていてもよく、第１、第２および／または第３の芳香提供物質は、補足的であっても、対照的であってもよい。
【００７６】
図３に示すように、２つ以上の可動式に係合可能な部分を有するパッケージ３００は、第１のトレイ部３０１および第２の蓋部３１０を備え得る。第１のトレイ部３０１は、側壁３０２および側壁３０２の反対側の側壁（図示せず）を含む２つの側壁；前壁３０３；および前壁３０３の反対側の後壁（図示せず）を備える。側壁３０２を含む側壁は、第２の蓋部３１０に見出される溝３１１と係合するようにサイズ合わせされたトレイ３０１の上端に沿ったレール３０４を含む。第２の蓋部３１０は、側端３１２および側端３１２の反対側の側端３１３を含む２つの側端；前端３１４；ならびに後端３１５を含む。側端３１２および３１３は、第１のトレイ部３０１上のレール３０４と係合するようにサイズ合わせされた溝３１１を備える。
【００７７】
第１のトレイ部３０１のレール３０４は１つ以上の第１の接触点を形成し、第２の蓋部３１０の溝３１１は１つ以上の第２の接触点を形成する。第１の芳香提供物質３２０は、トレイ部３０１のレール３０４上の１つ以上の第１の接触点に適用され得る。加えて、または代替的に、第２の芳香提供物質３２５は第２の蓋部３１０の外面に適用され得、加えて、または代替的に、第３の芳香提供物質（図示せず）は、蓋部３１０の溝３１１に位置する１つ以上の第２の接触点に適用され得る。さらに、第１の芳香提供物質は１つ以上の第１の接触点に適用され得、かつ第３の芳香提供物質は１つ以上の第２の接触点に適用され得る。上記のように、第１の芳香提供物質および第２および／または第３の芳香提供物質は、同じであっても、異なっていても、補足的であっても、または対照的であってもよい。
【００７８】
トレイ部３０１および蓋部３１０は直線的かつスライド式に移動可能であり、トレイおよび蓋部が互いに対して移動すると、または使用者が、蓋部３１０の外面に触れると、１つ以上の芳香提供物質を収容するマイクロカプセルの破裂を生じる圧力に起因して芳香は放出される。
【００７９】
図４および図５に示すように、２つ以上の可動式に係合可能な部分を有するパッケージは、フラップおよびスロット部を備える郵便封筒のようなパッケージを含んでもよい。かかる郵便封筒のようなパッケージは、米国特許公開公報第２００５／０２５２８１７号および同第２００６／００２７４８３号に記載されており、その両方は、全ての目的のために本明細書に参照として組み込まれている。図４において、パッケージ４００は、第２のフラップ部４１０と係合するようにサイズ合わせされる第１のスロット部４０１を備える。図５において、パッケージ５００は、第２のフラップ部５１０と係合するようにサイズ合わせされる第１のスロット部５０１を備える。
【００８０】
図４に示すように、第１のスロット部４０１は、菓子などの製品を保持するのに適切な単一の区画パッケージ４００の前壁４０２に位置する。第１のスロット部４０１は上端４０３および底端４０４を備える。第２のフラップ部４１０は、２つの側端４１２、およびその側端４１２の間にあり、その側端４１２と一緒に連結している曲線のある前端４１３を含む３つの隣接する側端を備えるカバー４１１上に位置する。カバー４１１はまた、折り目を備える。カバー４１１は、折り目４１４に沿って折り畳まれる場合、端部４１５によって規定される区画の開口領域を隠すようにサイズ合わせされる、折り目４１４から前端４１３までの高さを有する。第２のフラップ部４１０は、カバー４１１の曲線のある前端４１３の中央にほぼ位置するので、フラップ４１０がスロット４０１と係合する場合、端部４１５によって規定される区画に含まれる製品が外に落ちることはない。第２のフラップ部４１０は、外面（図示せず）および内面４１６を備える。
【００８１】
図５に示すように、第１のスロット部５０１は、前区画５０５および後区画５０６を含む、菓子などの製品を保持するのに適切な複数の区画パッケージの一部である前区画５０５の前壁５０２に位置し、ここで、前区画５０５は後区画５０６に接続されている。第１のスロット部５０１は上端５０３および底端５０４を備える。第２のフラップ部５１０は、曲線のある前端５１３および折り目５１４に隣接する側端５１２を備えるカバー５１１に位置する。第１のスロット部５０１は、カバー５１１が折り目５１４に沿って折り畳まれる場合、フラップ５１０と係合するように前壁５０２に沿って位置する。第２のフラップ部５１０は、そのフラップ５１０がスロット５０１と係合する場合、複数の区画に含まれる製品が外に落ちないようにサイズ合わせされる。第２のフラップ部５１０は、外面（図示せず）および内面５１５を備える。
【００８２】
フラップ部４１０または５１０およびスロット部４０１または５０１は、接触してもよく、または多くの部分で接触してもよい。他の例と同様に、芳香提供物質はかかる接触点に適用され得る。例えば、第１の芳香提供物質４２０または５２０は、スロットの底端４０４または５０４の下の前壁４０２または５０２の内面に位置する接触点に適用され得る。使用の際に、フラップ４１０または５１０がスロット４０１または５０１に挿入することによる圧力が、芳香提供物質４２０または５２０を収容するマイクロカプセルを破裂させると、芳香提供物質４２０または５２０は放出され得る。さらに、第２の芳香提供物質４３０または５３０が、フラップ部４１０または５１０の内面４１６または５１５に位置する１つ以上の第２の接触点に適用されてもよい。使用の際に、スロットの底端４０４または５０４がフラップ４１０または５１０の内面４１６または５１５と係合する場合の摩擦による圧力が、芳香提供物質４３０または５３０を収容するマイクロカプセルを破裂させると、芳香提供物質４３０または５３０が放出され得る。さらに、および上記の例と同様に、第１の芳香提供物質が１つ以上の第１の接触点に適用されてもよく、かつ第２の芳香提供物質が１つ以上の第２の接触点に適用されてもよい。
【００８３】
上記の例のように、フラップ４１０または５１０が、スロット部４０１または５０１に挿入されるか、または引き出される場合、１つ以上の芳香提供物質を収容するマイクロカプセルの破裂を生じる圧力に起因して、芳香は放出される。フラップ部およびスロット部はスライド式に移動可能である。
【００８４】
第１の芳香提供物質４２０または５２０は、第２の芳香提供物質４３０または５３０と同じであっても、異なっていてもよい。第１および第２の芳香提供物質は、補足的であっても、対照的であってもよい。上記のように、第１の芳香提供物質および第２の芳香提供物質は、同じであっても、異なっていても、補足的であっても、または対照的であってもよい。
【００８５】
図７に示すように、パッケージ７００は、２つの第１の蓋部：上蓋７０１および下蓋７５０を備える。第１の蓋部７０１および７５０は、第２の容器部７１０に対して枢動式に移動可能である。第１の上蓋部７０１は、上蓋部７０１の周囲を形成する端部７０２を備え、さらに上蓋部７０１は、内側を向いている内面（図示せず）および外側を向いている外面７０３を備える。下蓋部７５０は、下蓋部７５０の周囲を形成する端部７５１を備え、さらに下蓋部７５０は、内側を向いている内面７５２および外側を向いている外面（図示せず）を備える。第２の容器部７１０は、少なくとも１つの側壁７１１と、底部７１２と、少なくとも１つの側壁７１１の上部に沿った外側を向いている端部７１３とを備える。少なくとも１つの側壁７１１はまた、内面７１４および外面７１５を備える。
【００８６】
蓋部７０１および７５０と容器部７１０は、接触してもよく、または多くの部分で接触してもよい。例えば、第１の上蓋部７０１および／または第１の下蓋部７５０はそれらが近接した位置にある場合、その上蓋部７０１および／または下蓋部７５０は、容器部７１０を少なくとも覆うようにサイズ合わせされてもよい。これにより、上蓋部７０１の端部７０２の内側を向いている内面（図示せず）上の１つ以上の第１の接触点、および下蓋部７５０の端部７５１の内側を向いている内面７５２上の１つ以上の第１の接触点、および容器部７１０の少なくとも１つの側壁７１１の上部に沿って外側を向いている端部７１３上の１つ以上の第２の接触点が形成される。
【００８７】
第１の芳香提供物質（図示せず）が上蓋部７０１または下蓋部７５０上の１つ以上の第１の接触点に適用されてもよく、または第２の芳香提供物質７３０が１つ以上の第２の接触点に適用されてもよく、あるいは第１の芳香提供物質が１つ以上の第１の接触点に適用されてもよく、かつ第２の芳香提供物質が１つ以上の第２の接触点に適用されてもよい。第１および第２の芳香提供物質は、補足的であっても、対照的であってもよい。上記のように、第１の芳香提供物質および第２の芳香提供物質は、同じであっても、異なっていても、補足的であっても、または対照的であってもよい。
【００８８】
上蓋部７０１または下蓋部７５０が、開いている、および／または閉じている場合、１つ以上の芳香提供物質を収容するマイクロカプセルを破裂させる圧力に起因して、芳香は放出される。蓋部７０１および７５０と容器部７１０は枢動式に移動可能である。
【００８９】
図８に示した実施形態において、図１に示したパッケージと同様のパッケージが、ブリスターカード部の蓋材料上に１つ以上の芳香提供物質をさらに含む。図８から分かり得るように、パッケージ８００は、第１のスリーブ部８０１および第２のブリスターカード部８１０を備え得る。
【００９０】
第１のスリーブ部８０１は、第１の側壁８０２、第１の側壁８０２の反対側の第２の側壁（図示せず）、後壁８０３、および後壁８０３の反対側の前壁（図示せず）を備える。
【００９１】
第２のブリスターカード部８１０は、区画８１１および区画８１１を囲むリム８１３に付着する蓋材料８１２を備える。
【００９２】
上記の図１において説明したように、接触点は、第１のスリーブ側壁８０２および側壁８０２の反対側の第２の側壁（図示せず）の高さに対するブリスターカード区画８１１の高さを変化させることによって、ならびに／またはスリーブ後壁８０３およびスリーブ後壁８０３の反対側のスリーブ前壁（図示せず）の幅に対するブリスターカード部８１０の幅を変化させることによって形成され得る。第１の芳香提供物質８２０はブリスタートレイ部８１０上の１つ以上の第１の接触点に配置されてもよく、かつ第２の芳香提供物質８３０は蓋材料８１２上に配置されてもよい。この構成は、第１の芳香提供物質８２０が、ブリスターカード部８１０に対するスリーブ部８０１の移動の際に最初に放出され、続いて蓋材料８１２上で第２の芳香提供物質８３０の連続放出が生じるので、芳香の連続放出を提供し得る。連続して放出される芳香提供物質は、所望の連続芳香特性に応じて同じであっても、異なっていてもよい。
【００９３】
上記の例に記載したような可動式に係合可能な部分を有する主要なパッケージに加えて、パッケージはまた、可動式に係合可能な部分を有する主要なパッケージを囲む透明フィルム（図示せず）などのオーバーラップ（図示せず）を有してもよい。そのオーバーラップは、開封帯などの簡便な手段により除去されてもよい。全ての目的のためにその全体が本明細書に参照として組み込まれる米国特許第４，７２０，４２３号に記載されるように、開封帯は芳香を放出するように構成され得るので、消費者がパッケージ内に含まれる食品から予想できる、どのような味または風味を経験するかの最初の指標を知ることができる。この最初の指標は食べ物の経験をさらに高める。なぜなら、オーバーラップの除去はパッケージを最初に開封するさらなる時間を必要とし、使用者は、製品を食べ始めるのに費やすさらなる時間の後まで待つ必要がないからである。あるいは、開封帯によって放出される芳香は、新鮮さの指標を提供することができるか、または製造業者もしくは製品ブランドもしくは機能的有益性に関連する芳香を提供することができる。
【００９４】
（芳香提供物質）
一部の実施形態において、芳香提供物質に含まれる芳香化学物質は、製品の味または風味の経験の指標を提供することができる。かかる味または風味の経験としては、限定されないが、天然および人工香味料などの当業者に公知の香味料が挙げられ得る。それらの香味料は、合成香味油および香味料芳香族化合物および／または油、オレオレジンならびに植物、葉、花、果実などの抽出物ならびにそれらの組み合わせから選択され得る。非限定的な代表的な香味油としては、スペアミント油、桂皮油、ウィンターグリーン油（サリチル酸メチル）、ペパーミント油、薄荷油、丁子油、ベイ油、アニス油、ユーカリ油、タイム油、ニオイヒバ油、ナツメグ油、オールスパイス油、セージ油、メース、ビターアーモンド油、およびカッシア油が挙げられる。また、有用な香味料は、バニラ、およびレモン、オレンジ、ライム、グレープフルーツ、ヤズ、スダチを含む柑橘油、およびリンゴ、西洋ナシ、モモ、ブドウ、ブルーベリー、ストロベリー、ラズベリー、サクランボ、プラム、パイナップル、アンズ、バナナ、メロン、アンズ、ウメ、サクランボ、ラズベリー、ブラックベリー、トロピカルフルーツ、マンゴー、マンゴスチン、ザクロ、パパイヤなどを含む果実エッセンスなどの人工、天然および合成果実フレーバーである。他の可能な香味料としては、ミルク香味料、バター香味料、チーズ香味料、クリーム香味料、およびヨーグルト香味料；バニラ香味料；緑茶香味料、ウーロン茶香味料、茶香味料、ココア香味料、チョコレート香味料、およびコーヒー香味料などの茶またはコーヒー香味料；ペパーミント香味料、スペアミント香味料、および薄荷香味料などのミント香味料；アサフェティダ香味料、アジョワン香味料、アニス香味料、アンゼリカ香味料、ウイキョウ香味料、オールスパイス香味料、桂皮香味料、カモミール香味料、マスタード香味料、カルダモン香味料、キャラウェー香味料、クミン香味料、クローブ香味料、ペッパー香味料、コリアンダー香味料、サッサフラス香味料、サボリ香味料、山椒香味料、エゴマ香味料、ジュニパーベリー香味料、ショウガ香味料、スターアニス香味料、セイヨウワサビ香味料、タイム香味料、タラゴン香味料、ディル香味料、トウガラシ香味料、ナツメグ香味料、バジル香味料、マヨラナ香味料、ローズマリー香味料、ベイリーフ香味料、およびワサビ（Ｊａｐａｎｅｓｅ  ｈｏｒｓｅｒａｄｉｓｈ）香味料などのスパイシー香味料；ワイン香味料、ウィスキー香味料、ブランデー香味料、ラム香味料、ジン香味料、およびリキュール香味料などのアルコール香味料；フローラル香味料；ならびにタマネギ香味料、ガーリック香味料、キャベツ香味料、ニンジン香味料、セロリ香味料、マッシュルーム香味料、およびトマト香味料などの野菜香味料が挙げられる。これらの香味添加剤は、液体または固体形態で使用されてもよく、個々にまたは混合して使用されてもよい。一般に使用される香味料としては、個々にまたは混合して使用されるか否かに関わらず、ペパーミント、メントール、スペアミントなどのミント、人工バニラ、桂皮誘導体、および種々の果実フレーバーが挙げられる。本明細書の以下に記載する冷感剤と組み合わせて使用される場合、香味料はまた、息���清涼にする性質、特にミント風味の知覚を与えてもよい。
【００９５】
一部の実施形態において、他の香味料としては、酢酸シンナミル、桂皮アルデヒド、シトラールジエチルアセタール、ジヒドロカルビルアセテート、オイゲニルホルメート、ｐ−メチルアミソールなどのアルデヒドおよびエステルが挙げられ、使用され得る。一般に、全米科学アカデミー（Ｎａｔｉｏｎａｌ  Ａｃａｄｅｍｙ  ｏｆ  Ｓｃｉｅｎｃｅｓ）による、Ｃｈｅｍｉｃａｌｓ  Ｕｓｅｄ  ｉｎ  Ｆｏｏｄ  Ｐｒｏｃｅｓｓｉｎｇ，刊行物１２７４，６３〜２５８ページに記載されているものなどの任意の香味料または食品添加物が使用され得る。この刊行物は本明細書に参照として組み込まれる。それらは天然および合成香味料を含んでもよい。
【００９６】
アルデヒド香味料のさらなる例としては、限定されないが、アセトアルデヒド（リンゴ）、ベンズアルデヒド（サクランボ、アーモンド）、アニスアルデヒド（甘草、アニス）、桂皮アルデヒド（桂皮）、シトラール、すなわちアルファ−シトラール（レモン、ライム）、ネラール、すなわちベータ−シトラール（レモン、ライム）、デカノール（オレンジ、レモン）、エチルバニリン（バニラ、クリーム）、ヘリオトロープ、すなわちピペロナール（バニラ、クリーム）、バニリン（バニラ、クリーム）、アルファ−アミル桂皮アルデヒド（スパイシーフルーツ風味）、ブチルアルデヒド（バター、チーズ）、バレルアルデヒド（バター、チーズ）、シトロネラル（修飾剤、多くの種類）、デカノール（柑橘果実）、アルデヒドＣ−８（柑橘果実）、アルデヒドＣ−９（柑橘果実）、アルデヒドＣ−１２（柑橘果実）、２−エチルブチルアルデヒド（液果類）、ヘキサノール、すなわちトランス−２（液果類）、トリルアルデヒド（サクランボ、アーモンド）、ベラトルアルデヒド（バニラ）、２，６−ジメチル−５−ヘプタノール、すなわちメロナール（メロン）、２，６−ジメチルオクタノール（青玉果）、および２−ドデセナール（柑橘類、マンダリン）、サクランボ、ブドウ、ブルーベリー、ブラックベリー、ストロベリーショートケーキ、およびそれらの混合物が挙げられる。
【００９７】
一部の実施形態において、香味添加剤は、知覚可能な経験を与えるレベルで使用される。他の実施形態において、香味添加剤は、独立して知覚可能な経験を与えないようなそれらの閾値レベル以下のレベルで使用される。閾値下のレベルにおいて、香味添加剤は、風味および／または芳香増大もしくは相乗効果などの補助的な有益性を与えることができる。
【００９８】
一部の実施形態において、香味添加剤は、液体形態および／または乾燥形態のいずれで使用されてもよい。乾燥形態で使用される場合、液体を乾燥させる噴霧などの適切な乾燥手段が使用され得る。あるいは、香味添加剤は、セルロース、デンプン、糖、マルトデキストリン、アラビアガムなどの水溶性物質に吸収されてもよく、またはカプセル化されてもよい。さらに他の実施形態において、香味添加剤は、シリカ、ゼオライトなどに吸着されてもよい。
【００９９】
一部の実施形態において、香味添加剤は多くの別個の物理的形態で使用されてもよい。これらに限定されないが、かかる物理的形態としては、噴霧乾燥などの自由形態、粉末、ビーズ形態、カプセル化形態、およびそれらの混合物が挙げられる。
【０１００】
（芳香提供物質適用方法）
一部の実施形態において、芳香提供物質は、任意の適切な適用プロセスを使用して可動式に係合可能なパッケージ部に位置する接触点に適用される。適切な適用プロセスとしては、当業者に公知の任意の方法が挙げられ得る。一部の実施形態において、適用プロセスとしては、接触および非接触プリントプロセスが挙げられ得る。一部の実施形態において、プリントプロセスは、インクジェットプリント、スクリーンプリント、フレキソプリント、ロータリースクリーンプリント、可変スクリーンプリント、シルクスクリーンプリント、オフセットプリント、ロートグラビアプリント、スプレープリント、浸漬プリント、オフセットリソグラフプリントなど、またはかかるプリントプロセスの組み合わせが挙げられ、それらが使用され得る。
【０１０１】
プリントプロセスに加えて、一部の実施形態において、芳香提供物質は、芳香提供物質を含む基板をパッケージ部に適用することによって、可動式に係合可能なパッケージ部上の接触点に適用されてもよい。適切な基板としては、限定されないが、紙および／またはプラスチック基板が挙げられ得る。一部の実施形態において、基板は、ポリプリピレンまたはポリエチレンなどのポリマーを含んでもよく、その中に芳香提供物質が含まれる。他の実施形態において、基板はワックスを含んでもよい。さらに他の実施形態において、芳香提供物質は、破裂可能なマイクロカプセルなどのカプセル化した形態で基板中に含まれてもよい。
【図１】
0005667075.tif 000002
【図２】
0005667075.tif 000003
【図３】
0005667075.tif 000004
【図４】
0005667075.tif 000005
【図５】
0005667075.tif 000006
【図６】
0005667075.tif 000007
【図７】
0005667075.tif 000008
【図８】
0005667075.tif 000009